(57)【要約】【課題】  カラーインク及び黒インクの両方に対して最適なプリント品質を達成する方法で、カラーインク及び黒インクを合わせてプリント媒体上に配置する。【解決手段】  プリントするために文書画像データを処理する方法において、文書画像データにおける全てのオブジェクトをラスタライズしてビットマップフォーマットにするステップであって、オブジェクトの黒部分を混合黒画素に変換することを含むステップ（２０４）と、文書画像データにおける、色を含むか又は色に隣接するカラーオブジェクトを特定するステップ（２０６）と、特定されたカラーオブジェクトにおける全ての混合黒画素を、真の黒画素に代えることなく混合黒画素指定として維持するステップ（２１０）と、混合黒画素指定が混合黒インクの一部及び真の黒インクの一部としてプリント媒体上にハーフトーンプリントされるようなプリントデータを生成するステップ（２１２）とを含む。【選択図】        図４
2006129500.tif 000002
【特許請求の範囲】
【請求項１】
プリントするために文書画像データを処理する方法であって、
前記文書画像データにおける全てのオブジェクトをラスタライズしてビットマップフォーマットにするステップであって、前記オブジェクトの黒部分を混合黒画素に変換することを含むステップと、
前記文書画像データにおける、色を含むか又は色に隣接するカラーオブジェクトを特定するステップと、
特定されたカラーオブジェクトにおける全ての混合黒画素を、真の黒画素に代えることなく混合黒画素指定として維持するステップと、
前記混合黒画素指定が混合黒インクの一部及び真の黒インクの一部としてプリント媒体上にハーフトーンプリントされるようなプリントデータを生成するステップと、
を含むことを特徴とする方法。
【請求項２】
前記文書画像データにおける、色を含まず、かつ、色に隣接しない非カラーオブジェクトを特定するステップと、
特定された非カラーオブジェクトにおける全ての混合黒画素指定を真の黒画素指定に置き換えるステップと、
前記真の黒画素指定が前記プリント媒体上において真の黒インクとしてプリントされるようなプリントデータを生成するステップと
をさらに含むことを特徴とする方法。
【請求項３】
前記文書画像データにおける前記オブジェクトは、テキストオブジェクト及びベクタグラフィックオブジェクトのうちの少なくとも一方を含むことを特徴とする請求項１に記載の方法。
【請求項４】
前記特定されたカラーオブジェクトにおける全ての混合黒画素を混合黒画素として維持することを選択的に解除するステップをさらに含むことを特徴とする請求項１に記載の方法。
【請求項５】
前記プリント媒体上にカラー画素をプリントし、前記プリント媒体上に前記指定された混合黒画素を混合黒インクの一部及び純粋な黒インクの一部としてハーフトーンプリントするステップを含むことを特徴とする請求項１に記載の方法。
【請求項６】
前記混合黒インク（ＣＭＹＫ）は、シアンインク（Ｃ）、マゼンタインク（Ｍ）及びイエローインク（Ｙ）を含むカラーインクの組合せを含むことを特徴とする請求項１に記載の方法。
【請求項７】
前記プリント媒体上に前記カラーインク及び前記真の黒インクをプリントすることは、プリントヘッドの単一オリフィスプレートで実行されることを特徴とする請求項６に記載の方法。
【請求項８】
前記カラーオブジェクトを特定するステップは、前記特定されたオブジェクトにおいて少なくとも１つのカラー画素を特定することにより、オブジェクトが色を有するか否かを判断するステップを含むことを特徴とする請求項１に記載の方法。
【請求項９】
前記カラーオブジェクトを特定するステップは、オブジェクトのメタデータ及びヘッダ情報のうちの少なくとも１つを検査することにより、前記オブジェクトが色を有するか否かを判断することを含むことを特徴とする請求項１に記載の方法。
【請求項１０】
前記カラーオブジェクトの特定を判断するステップは、
色を含むベクタオブジェクトと境界を共有するベクタオブジェクトと、
色を含むベクタオブジェクトとオーバラップするベクタオブジェクトと、
色を含むベクタオブジェクトに近接するが間隔が空けられているベクタオブジェクトと、
のうちの少なくとも１つを特定することにより、色に隣接するベクタオブジェクトを特定するステップを含むことを特徴とする請求項９に記載の方法。
【請求項１１】
請求項１乃至１０に記載の方法のうちのいずれか１つの方法を実行する際に使用するプリンタドライバであって、
ベクタオブジェクトをプリントするためにビットマップデータに変換するように構成されたラスタ機構であって、前記ベクタオブジェクトにおける全ての混合黒画素を真の黒画素に置き換えるように構成された黒抽出部を含むラスタ機構と、
色を含むか又は色に隣接するカラーベクタオブジェクトを特定するように構成されたカラーオブジェクト位置特定部と、
特定されたカラーベクタオブジェクトにおける全ての混合黒画素に対して前記黒抽出部の動作を中断させることにより、真の黒インクの一部及び混合黒インクの一部としてのハーフトーンプリントを可能にするように混合黒画素としての指定を維持するように構成された黒抽出切替え部と、
を具備することを特徴とするプリンタドライバ。
【請求項１２】
前記黒抽出切替え部は、選択的に起動及び停止するように構成されることを特徴とする請求項１１に記載のプリンタドライバ。
【請求項１３】
前記黒抽出切替え部は、前記ラスタ機構に配置されることを特徴とする請求項１１に記載のプリンタドライバ。
【請求項１４】
前記ラスタ機構と通信し、かつ、前記カラーオブジェクト位置特定部及び前記黒抽出切替え部を含む、黒・カラー相互作用部分最適化部を具備することを特徴とする請求項１１に記載のプリンタドライバ。
【請求項１５】
カラーインク貯蔵器及び黒インク貯蔵器を有するインク供給部と、
前記インク供給部と流体連通し、かつ、前記インク供給部及びプリントヘッドの動作を制御する前記プリンタドライバと通信する前記プリントヘッドと、
を備えるプリンタをさらに具備することを特徴とする請求項１１に記載のプリンタドライバ。
【発明の詳細な説明】
【技術分野】
【０００１】
本発明は、プリントするために文書画像データを処理する方法及びその方法を実施するプリンタドライバに関し、特に、文書画像データにおいて黒画素を指定する方法及びその方法を実施するプリンタドライバに関する。
【０００２】
関連出願
本出願は、２００４年１０月２９日に出願され「METHOD FOR BLACK PIXEL DESIGNATION IN DOCUMENT IMAGE DATA」と題するGeorge C. Ross他による米国仮特許出願第６０／６２３，４０８号の優先権を主張する出願である。
【背景技術】
【０００３】
インクジェットプリンタ等の液体インクプリンタは、インクの多くの小さいドット又はインク滴を、普通紙や写真用紙等のプリント媒体上に互いに非常に近接して配置する。乾燥時間が短いため、異なる色のインクが用紙上で互いの中ににじみ出すことが多い。にじみ（bleeding）は、染料系のインクに対する顔料系のインク等、種類の異なるインクの異なる特性と、インクがプリントされる媒体の種類（写真用紙又は普通紙等）と、を含む多くの要因からもたらされる。同様に、インクは、塩，酸，又は他の添加剤を含むか又は含まない場合がある、非反応性配合物及び反応性配合物等の異なるビヒクル配合物（vehicle formulation）によって運ばれる。これらの異なる特性は、エッジ品質や色調等、用紙上の各インクの外観の多くの側面に影響を与える。一例では、黒インク及び／又はカラーインクを反応性であるように変更することにより、黒・カラー相互作用部分（黒・カラー接合部分若しくは黒・カラーインターフェース：black-color interface）においてにじみ軽減メカニズムの一部として互いに化学反応させる。
【発明の開示】
【発明が解決しようとする課題】
【０００４】
黒・カラーにじみにより、他のプリント品質パラメータの劣化と共に、色ずれ、ぎざぎざのエッジがもたらされる。各カラーインクに対して最適なプリント品質（例えば、エッジ鮮明性、均質な色調等）を維持すること、及び、黒インクに対して最適なプリント品質を維持することは、一般に異なる方法で達成されるため、黒テキスト／オブジェクトに対する最適なプリント品質を達成することが、カラーテキスト／オブジェクトに対する最適なプリント品質を達成することと矛盾する場合がある。インク／用紙挙動を制御する異なる解決法によってもたらされるこの矛盾により、プリントヘッドに別々のノズルセット、すなわちカラー用のセット及び黒用のセットを保持する等、他の方法でハードウェアを適合させるようになった。言い換えれば、１つ又は複数のプリントヘッドが、カラーインク用のノズルの１つのオリフィスプレートと、黒インク用のノズルのもう１つ別のオリフィスプレートと、を有する。この構成では、ノズルにおけるカラーインク及び黒インクの相互汚染が防止されるが、また、プリントヘッドの複雑性、サイズ及びコストも増大する。
【０００５】
これらの理由及び他の多くの理由により、プリンタは、依然として、カラーインク及び黒インクの両方に対して最適なプリント品質を達成する方法で、カラーインク及び黒インクを合わせてプリント媒体上に配置するという難題に直面している。
【課題を解決するための手段】
【０００６】
本発明の実施形態は、プリントするために文書画像データを処理する方法に関する。本方法は、文書画像データにおける全てのオブジェクトをラスタライズしてビットマップフォーマットにすることを含み、それは、オブジェクトの黒部分を混合黒画素として指定することを含む。文書画像データにおける、色を含むか又は色に隣接するカラーオブジェクトを特定する。特定されたカラーオブジェクトにおける全ての混合黒画素指定を、真の黒画素指定に代えることなく混合黒画素指定として維持する。混合黒画素指定が、混合黒インクの一部及び真の黒インクの一部としてプリント媒体上にハーフトーンプリントされるようなプリントデータを生成する。
【発明を実施するための最良の形態】
【０００７】
以下の詳細な説明において、その一部を形成し、本発明を実施してもよい特定の実施形態が例として示されている添付図面を参照する。これに関し、「上部」，「底部」，「正面」，「背面」，「先行する」，「後続する」等の方向を示す用語は、説明している図（複数可）の向きに関して使用する。本発明の実施形態の構成要素を複数の異なる向きに配置することができるため、方向を示す用語は、例示の目的のために使用するものであり、決して限定するものではない。他の実施形態を利用してもよく、本発明の範囲から逸脱することなく構造的又は論理的変更を行ってもよい、ということを理解すべきである。従って、以下の詳細な説明は、限定する意味でとられるべきではなく、本発明の範囲は、添付の特許請求の範囲によって定義される。
【０００８】
本発明の実施形態は、黒・カラー相互作用部分におけるインクにじみを最小化しながら、プリントするための文書画像データを迅速に処理することに関する。これらの実施形態は、黒・カラー相互作用部分が発生するオブジェクト又はその近くのオブジェクト（例えば、テキストオブジェクト又はベクタグラフィックスオブジェクト）を特定し、その後、文書画像データにおいて、それら特定されたオブジェクトにおける黒画素の全てが、真の黒画素ではなくカラーベースの混合黒画素としてプリントされるように指定することにより、高速処理を可能にする。そして、それらの指定された画素のプリントを実行するようにプリントデータを生成する。
【０００９】
一実施形態では、文書画像データにおけるテキストオブジェクト及びベクタグラフィックスオブジェクトは、ラスタフォーマット（例えば、ビットマップデータ）に変換され、そこでは、文書画像データにおける各画素は、ＲＧＢデータ等の２４ビットの３色の組合せに対応する。場合によっては、この３色指定は、シアン，マゼンタ，及びイエローのカラープレーン（すなわち、パレット）を含む。この方式を使用して、テキストオブジェクト及びベクタグラフィックスオブジェクトの全ての部分を、３色プレーン（複数可）の色の何らかの組合せに対応する画素としてラスタフォーマットに変換する。例えば、テキストオブジェクト及び／又はベクタグラフィックスオブジェクトの黒部分を、シアン，マゼンタ，及びイエローからなる黒に対応する混合黒画素に変換する。データフォーマットにおいて、この指定を、一般に、ＣＭＹ（０，０，０）又はＲＧＢ（０，０，０）と呼ぶ。
【００１０】
文書にプリントされる黒の品質を向上させるために、これら混合黒画素に対し、黒抽出ステップを施す。このステップは、真の黒画素（Ｋ）としての新たな指定を用いて混合黒画素指定（ＣＭＹ）を代用することを含み、これによりそれらの画素が真の黒インクとしてプリントされるようになる。この黒抽出（例えば、代用）は、混合黒画素（例えば、ＣＭＹ（０，０，０）ＲＧＢ（０，０，０））からの各黒画素位置に対する３色画素指定をヌル値又は白画素値（例えば、ＣＭＹ（２５５，２５５，２５５）又はＲＧＢ（２５５，２５５，２５５））に変更すること、及びその画素位置において真の黒成分を追加することを含む。真の黒成分を追加することは、１ビット値（例えば、１＝オン、０＝オフ）が各画素位置において真の黒インクがプリントされるか否かを指定する文書画像データに、真の黒カラープレーン（Ｋ）を追加することによって行う。真の黒画素に対して混合黒画素を代用する度に、その画素位置を真の黒インクに対する「オン」画素で指定する。従って、黒抽出ステップを使用することにより、可能な限り多くの場所に真の黒インクがプリントされ、文書における黒のプリントの品質が向上する。
【００１１】
しかしながら、黒・カラー相互作用部分におけるにじみを防止するために、本発明の実施形態は、カラーオブジェクト、すなわち色を含むオブジェクト又は色に隣接するオブジェクトにおける全ての黒画素に対しこの黒抽出ステップを中断し又は無効にする。
【００１２】
一実施形態では、プリンタドライバは、特定されたカラーオブジェクトにおける黒画素の全てに対し、真の黒画素に変換する代りに混合黒画素としての指定を維持する。本発明の実施形態は、特定されたカラーオブジェクトにおける全ての黒画素を、黒・カラー相互作用部分において画素毎に黒画素を指定しようとする代わりに、同じ種類の黒画素指定を有するように指定する。従って、本発明の実施形態では、（真の黒画素に抽出される代わりに）混合黒画素のままであるように指定されたいくつかの画素は、黒・カラー相互作用部分にあることになり、それにより、黒抽出の中断により、その相互作用部分における黒・カラーにじみが最小化する。特定されたカラーオブジェクトにおける他の画素は、黒・カラー相互作用部分から離れている（その位置では真の黒インクがあっても黒・カラーにじみによる影響を受けない）が、それらの混合黒画素指定を維持することにより、文書画像データの処理が迅速に行われる。
【００１３】
文書画像データにおける、非カラーオブジェクト内等、これらの特定されたオブジェクトの外側にある黒画素は、従来のプリンタドライバプロトコルに従ってプリントされる。このプロトコルは、通常、黒抽出ステップを使用してこれらの通常の黒画素が混合黒インク（ＣＭＹ又はＣＭＹＫ）としてではなく純粋な黒すなわち真の黒（Ｋ）インクとしてプリントされるように指定する。
【００１４】
本発明の実施形態を１パスプリントで実施することができ、それら実施形態は、各黒・カラー相互作用部分に直接隣接する黒画素のみを変更しようとするのではなく、特定されたカラーオブジェクトにおける全ての黒画素を同じ方法で扱うため、本発明の実施形態により処理が高速になる。従って、このオブジェクト指向方法は、色を有するか又は色に隣接する（例えば、オーバラップする、接する、又は近接する）ものとして特定されるオブジェクトにおける全ての黒画素に対し、混合黒画素として領域ベースで有効に指定する。これらの特徴により、プリンタドライバに関連する複雑性、処理時間及びコストが低減する。
【００１５】
図１は、プリンタ１０のブロック図である。図１に示すように、プリンタ１０は、プリントヘッドアセンブリ１２と、インク供給アセンブリ１４と、電子コントローラ１６とを備える。一実施形態では、コンピュータ１８は、コントローラ１６を介してプリンタ１０と電気的に通信する。
【００１６】
コントローラ１６は、プリンタドライバ２０を備えており、コンピュータ１８は、プリンタドライバ２２を備える。コンピュータ１８は、電子コントローラ１６と電気的に通信する。一実施形態では、コンピュータ１８のプリンタドライバ２２は、コントローラ１６のプリンタドライバ２０なしに全てのプリンタドライバ機能を提供することができ、別の実施形態では、コンピュータ１８のプリンタドライバ２２は、コントローラ１６のプリンタドライバ２０と協働して作用することができる。従って、プリンタドライバ２０に関連して説明する機能及び特徴は、また、プリンタドライバ２２に属することになり、またその逆も同様である。プリンタドライバ２０は、電子コントローラ１６のメモリ２１に格納され、プリンタドライバ２２は、コンピュータ１８のメモリ２３に格納される。
【００１７】
プリンタドライバ２０及び／又はプリンタドライバ２２は、ベクタグラフィックオブジェクト及び／又はテキストオブジェクト等の文書画像データを、プリントヘッドアセンブリ１２がプリントするためのビットマップデータに変換するように作用する。図２乃至図６に関してより詳細に説明するように、プリンタドライバ（複数可）２０，２２は、カラーオブジェクト、すなわち色を含むオブジェクト及び／又は色に隣接するオブジェクトにおける全ての黒画素（又は実質的に全ての黒画素）に対してプリントを管理することにより、文書における黒画素とカラー画素との間のにじみを最小限にするようにこのビットマップ変換を実行する。例えば、一実施形態では、プリンタドライバ２０，２２は、特定されたカラーオブジェクトにおける全ての黒画素を、従来黒抽出ステップを通して行われるように真の黒インク（Ｋ）としてではなく、カラーインク（例えば、シアン，マゼンタ，及びイエロー）から作成される混合黒画素としてプリントされるように指定することにより、黒・カラーにじみを最小化する。一実施形態では、この混合黒インクは、さらに、混合黒（ＣＭＹ）インク及び真の黒（Ｋ）インクの組合せとしてハーフトーンプリントするようにも指定される。
【００１８】
プリントヘッドアセンブリ１２は、特に、インク３７を、プリントゾーン４０を介してプリント媒体４５上にプリントするオリフィスプレート３０及びノズル３６を備える。一実施形態では、オリフィスプレート３０は、単一のオリフィスプレート３２を含み、その場合、インク供給アセンブリ１４からのインクの全てが単一のオリフィスプレート３２を介してプリント媒体４５上に噴射される。別の実施形態では、オリフィスプレート３０は、複数のオリフィスプレート３４を含み、その場合、インク供給アセンブリ１４からのインクの一部（例えば、カラーインク）が第１のオリフィスプレートを介してプリント媒体４５上に噴射され、インク供給アセンブリ１４からの他のインク（例えば、黒インク）が第１のオリフィスプレートとは別の第２のオリフィスプレートを介してプリント媒体４５上に噴射される。複数のオリフィスプレート３４を分離することにより、１つのオリフィスプレートに関するインクが別の分離したオリフィスプレートに関するインクに対して相互汚染することが防止される。
【００１９】
インク供給アセンブリ１４は、シアンインク（Ｃ）５６，マゼンタインク（Ｍ）５８，イエローインク（Ｙ）６０，真の黒（Ｋ）６２を含むインクバンク（カラーインク貯蔵器）５４を備える。一実施形態では、インク供給アセンブリ１４は、フォトブラック（ＰＢ）６４及び／又は補助インク（Ｘ）６６（例えば、第２の種類の真の黒インク又は追加のカラーインク）を含む追加のインクを備える。他の実施形態では、カラープレーン（すなわちカラーパレット）がシアン，マゼンタ，イエロー，真の黒のみを含むように、これらの追加のインクを省略する。
【００２０】
インクバンク５４は、本技術分野において既知であるように、減法混色を使用してフルカラーパレット（例えば、異なる色の３つのプレーン）を可能にするようにシアン，マゼンタ，イエローのインクの組合せを提供する。シアン，マゼンタ，イエローの完全な混合により、混合黒（ＣＭＹ）インクがもたらされ、それは時にプロセスブラックインクと呼ばれる。黒のプリント品質を向上させるために、従来、プリントドライバは、混合黒インクの代りにプリントヘッドアセンブリ１２を介してプリント媒体４５上に真の黒（Ｋ）インク６２を噴射する。さらに、プリント媒体４５が写真用紙である場合には、多くのプリンタは、真の黒（Ｋ）インク又は混合黒（ＣＭＹ）インクの代りに媒体上に（プリントヘッドアセンブリ１２を介して）フォトブラック（ＰＢ）インクを噴射する。
【００２１】
他の実施形態では、本技術分野において既知である他のカラープレーンを使用してプリント媒体の所望の着色及び黒のプリントを達成することができるため、インク供給アセンブリ１４は、ＣＭＹＫ（シアン，マゼンタ，イエロー，真の黒）カラープレーンに限定されない。
【００２２】
一実施形態では、図１に示すように、インク５６〜６６は、非反応性インク６８及び染料系インク６９である。非反応性インク６８は、黒インクとカラーインクとの間で従来のにじみ低減反応をもたらすように変更されていないインクを指す。別の実施形態では、インク（５６〜６６）は、全て、顔料系の非反応性インクである。さらに他の実施形態では、インク（５６〜６６）は、１つ又は複数の顔料インク（例えば、真の黒インク（Ｋ）及び１つ又は複数の染料系インク（例えば、シアン，マゼンタ，及び／又はイエロー）６７を含む非反応性インクを含む。
【００２３】
インク供給アセンブリ１４は、プリントヘッドアセンブリ１２と連通しており、それにより、インク７０がプリントヘッドアセンブリ１２内に流れ込むことにより、ノズル３６に対してプリント媒体４５上に噴射するためのインク３７を供給する。一実施形態では、インク供給アセンブリ１４は、プリントヘッドアセンブリ１２とは別であり、他の実施形態では、インク供給アセンブリ１４は、プリントヘッドアセンブリ１２と一体である。さらに、インクバンク５４のインク（５６〜６２）は、各々単一ハウジングにおいて別々の貯蔵器内に合わせて収納されるか、又は複数のハウジングにおいて別々の貯蔵器に収納される。例えば、一実施形態では、シアン，マゼンタ，イエローは、単一ハウジング内の別々の貯蔵器に収納され、各黒（真の黒（Ｋ）及びフォトブラック（ＰＢ））は、各々それら自体のハウジング内に収納される。別の実施形態では、カラーも黒もともに、別々の貯蔵器内に収納されるが、プリントヘッドアセンブリ１２と協働する単一ハウジング内に配置される。
【００２４】
最後に、本発明の実施形態は、図１に示すインク供給アセンブリ及びプリントヘッドアセンブリの構成に厳密には限定されず、別個の形態又は一体的なカートリッジの形態で、インク貯蔵器，インク供給アセンブリ，プリントヘッド及びプリントヘッドアセンブリの他の組合せにまで及ぶ。
【００２５】
図２は、特にラスタ機構９０及び黒・カラー相互作用部分最適化部（black-color interface optimizer）９４を備えるプリンタドライバ２０のブロック図である。ラスタ機構９０は、文書画像データにおけるテキストオブジェクト及び／又はベクタグラフィックスオブジェクト等のオブジェクトの、ベクタフォーマットからプリント機構がプリントするためのビットマップフォーマットへの変換を実行するように構成される。ラスタ機構９０は、文書の黒の部分のプリント品質を向上させるように真の黒インク（Ｋ）６２の追加を制御するように構成される黒抽出部９２を備える。特に、上述したように、黒抽出方式では、所与の画素位置において混合黒画素指定（例えば、黒を生成する３色インクの組合せ）を停止し、その場所に真の黒画素指定（例えば、真の黒インク）を追加する。
【００２６】
黒・カラー相互作用部分最適化部９４は、ラスタ機構９０と協働して作用するか又はその一部であり、特にカラーオブジェクト位置特定部（カラーオブジェクトロケータ）９６及び黒抽出切替え部９８を含むいくつかのモジュールを備える。他の実施形態では、カラーオブジェクト位置特定部９６は、黒・カラー相互作用部分最適化部９４内又はラスタ機構９０内に位置しておらず、プリンタドライバ２０，２２の別の場所に位置しているが、依然として黒・カラー相互作用部分最適化部９４及び／又は黒抽出切替え部９８と共に使用されるようにアクセス可能である。
【００２７】
カラーオブジェクト位置特定部９６は、（１）色を含むベクタオブジェクト（テキストオブジェクト及び／又はグラフィックスオブジェクト）、又は、（２）色を含む別のベクタオブジェクト又はビットマップ領域にオーバラップするベクタオブジェクト（テキストオブジェクト及び／又はグラフィックスオブジェクト）を特定するプリンタドライバ２０のモジュール又は態様を備える。オーバラップするオブジェクトは、互いに境界を共有する、互いに近接するが互いに接しない、及び／又は一方のオブジェクトが他方のオブジェクト内に広がり又はその上にある（又は下にある）オブジェクト等、いくつかのタイプ（種類）の相互作用部分（インターフェース；interface）のうちの任意の１つ又は複数を有する。さらに、２つ以上のオブジェクトが１つ又は複数の異なる方法で互いにオーバラップしてもよく、それにより、黒・カラーにじみの可能性を与える１つ又は複数の異なるタイプの相互作用部分又はオーバラップがある可能性がある。従って、このように、カラーオブジェクト位置特定部９６は、カラー及び黒画素が互いに略近接してプリントされる相互作用部分を間接的に特定することにより、これらの位置において黒インクとカラーインクとの間のにじみを防止し又は軽減することができる。
【００２８】
一実施形態では、カラーオブジェクト位置特定部９６は、各テキストオブジェクト及び／又はベクタグラフィックスオブジェクト内のヘッダ情報又はメタデータを検査することにより、文書画像データにおいてオブジェクトが色を有する又は色に近いか否かを特定する。各オブジェクトのこのヘッダ情報には、特に、オブジェクト内の色に関するパラメータ，オブジェクトのサイズ／形状パラメータ，及び文書画像におけるオブジェクトの位置がある。この情報により、プリンタドライバ２０，２２のカラーオブジェクト位置特定部９６は、オブジェクトが色を有するか又は色に近いか否かを迅速に判断し、オブジェクトをカラーオブジェクト（又は色に隣接するオブジェクト）として扱うか又は非カラーオブジェクトとして扱うように指定する。
【００２９】
別の実施形態では、カラーオブジェクト位置特定部９６は、オブジェクトにおける１つ又はいくつかのカラー画素を見つけることにより、色を含むものとしてオブジェクトを特定するのを可能にする。この判断が行われると、カラーオブジェクト位置特定部９６は、その探索及び特定プロセスを中断することにより、にじみを最小化する技法を適用するためにオブジェクトにおける１つ１つの黒・カラー相互作用部分を探索する際に従来行われているように、オブジェクト全体を通しての不要な画素毎の比較を回避する。
【００３０】
黒抽出切替え部９８は、カラーオブジェクト位置特定部９６によって生成される情報を使用して、色を含むか又は色を含む他のオブジェクトとオーバラップするものとして特定されるオブジェクトに対しプリントされる黒インクの種類を変更する、プリンタドライバ２０，２２のモジュール又は態様を備える。特に、これらの特定されたカラーオブジェクトの各々に対し、黒抽出切替え部９８は、それら特定されたカラーオブジェクト及び色に隣接するオブジェクトにおいて全ての黒画素に対し黒抽出部９２の動作を無効にし又は中断する。各特定されたオブジェクトに対し、黒抽出切替え部９８は、ビットマップ変換が、全ての黒画素を真の黒画素に変更するのではなく、黒画素の混合黒画素としての指定を維持するようにする（黒抽出部９２によって）。
【００３１】
一実施形態では、特定されたカラーオブジェクトにおけるこれらの混合黒画素は、各指定された黒画素が、混合黒（ＣＭＹ）インクの一部及び真の黒（Ｋ）インクの一部を含むようにハーフトーンプリントされる。混合黒インク（ＣＭＹ）を純粋な黒インクと混合することにより、純粋な黒インクのビヒクル配合物（例えば、界面活性剤等）は、混合インクのビヒクル配合物によって調整され、それによって、ハーフトーン化した黒画素のビヒクル配合物が変更され、その結果、ハーフトーン黒画素インクが、カラーインクとハーフトーン黒画素インクとの間のにじみを防止するためにカラーインク画素に十分に類似するようになる。
【００３２】
黒・カラー相互作用部分最適化部９４は、にじみが発生する可能性のある黒・カラー相互作用部分の数を有効に最小化する。従って、黒インクとカラーインクとの両方に対して非反応性インクを使用する実施形態では、プリントヘッドアセンブリの単一オリフィスプレートを使用して黒インク及びカラーインクを互いに近接して噴射することができる。それは、黒インク及びカラーインクがオリフィスプレートのノズルにおいて互いに反応しないためである。
【００３３】
図３は、本発明の一実施形態によるプリンタドライバがプリントするために処理する文書画像のグラフィカル表現である。図３に示すように、文書画像（モデル）１００は、プリント媒体１０１上にいくつかの要素を含む。これらの要素は、第１のテキストオブジェクト（ＴＯ）１０２、第１のグラフィックスオブジェクト（ＧＯ）１０４、第２のテキストオブジェクト（ＴＯ）１０６、第２のグラフィックスオブジェクト（ＧＯ）１０８、ビットマップ領域１１０、結合して結合要素１１２を形成する第３のグラフィックスオブジェクト（ＧＯ）１１４及び第３のテキストオブジェクト（ＴＯ）１１６、並びにカラービットマップ領域１３８を表す。文書画像１００は、単に、プリンタドライバ２０がプリントするために処理する文書画像の一例を例示する。他の実施形態では、文書画像１００は、図３に示すものより多いか又は少ない数のテキストオブジェクト，グラフィックスオブジェクト，及び／又はビットマップ領域を有してもよい。さらに、別の実施形態では、プリンタドライバ２０がプリントするために処理する文書画像１００は、１種類のプリント可能要素のみを有してもよく（例えば、ビットマップ領域、テキストオブジェクト又はグラフィックスオブジェクトのうちの１つのみ）、又は要素のこれらの種類のうちの２つ以上の任意の組合せを有してもよい。従って、ビットマップ領域１１０、テキストオブジェクト１０２，１０６，１１６は、グラフィックスオブジェクト１０４，１０８，１１４と共に、文書画像１００における要素の種類及び数の単なる一例を表す。
【００３４】
第１のテキストオブジェクト１０２は、黒のみの要素１３０及びカラー要素１３２を含み、第１のグラフィックスオブジェクト１０４は、黒のみの要素（複数可）１３４及びカラー要素１３６を含む。一実施形態では、黒のみの要素１３０，１３４及びカラーのみの要素１３２，１３６を、別々の要素ではなく、それぞれテキストオブジェクト１０２及びグラフィックスオブジェクト１０４の各々において混合してもよい。第２のテキストオブジェクト１０６及び第２のグラフィックスオブジェクト１０８は、各々、プリントされる黒のみの要素を含むオブジェクトを含む。ビットマップ領域１１０は、オブジェクトレベルからビットマップレベルに変換することなくプリントヘッドアセンブリ１２がプリントする準備ができているプリント可能要素を表し、黒及び／又は色を含むことができる。
【００３５】
第３のグラフィックスオブジェクト（ＧＯ）１１４は、オーバラップ領域１２０において第３のテキストオブジェクト１１６とオーバラップすることによって要素１１２を形成する。第３のグラフィックスオブジェクト（ＧＯ）１１４は、カラー要素（複数可）１４０を含み、テキストオブジェクト（ＴＯ）１１６は、グラフィックスオブジェクト１１４に隣接する黒のみの要素１４２と、グラフィックスオブジェクト１１４から離れて位置する黒のみの要素１４４と、を含む。
【００３６】
このオーバラップ領域は、（１）テキストオブジェクト１１６の境界又は一部がグラフィックスオブジェクト１１４の境界に接することができ、（２）テキストオブジェクト１１６の境界又は一部がグラフィックスオブジェクト１１４内（上又は下）に広がることができ（ライン１２２で表す）、又は（３）黒のみの要素１４２の境界等のテキストオブジェクト１１６の境界又は一部がグラフィックスオブジェクト１１４に隣接するが接触せず、かつ、その中に広がらない、オーバラップの多くの変形を表す。
【００３７】
別の実施形態では、文書画像１００における結合要素１１２は、テキストオブジェクト１１６又はグラフィックスオブジェクト１１４の１つだけを有するのではなく、互いにオーバラップする２つのテキストオブジェクトの組合せか又は互いにオーバラップする２つのグラフィックスオブジェクトの組合せを含む。
【００３８】
図４は、本発明の一実施形態による文書画像データを処理する方法２００のフローチャートである。一実施形態では、方法２００は、プリンタドライバ２０，２２について図１乃至図３及び図５乃至図６に関連して説明する特徴及び属性を全て備えたプリンタドライバ２０，２２を含むプリンタ１０を使用して行う。他の実施形態では、方法２００を、方法２００を実行するように変更された本技術分野において既知であるプリンタ及び／又はプリンタドライバによって実行する。
【００３９】
図４に示すように、方法２００は、ステップ２０２において、プリンタのメモリ、プリンタに関連するコンピュータ等のソースから文書画像データを受け取ることを含む。
【００４０】
ステップ２０４において、文書画像データにおけるテキストオブジェクト及びベクタグラフィックスオブジェクトを、ラスタフォーマットからビットマップフォーマットにラスタライズする。このビットマップ変換は、これらのテキストオブジェクト及び／又はグラフィックスオブジェクトの任意の黒の部分を混合黒画素値を用いて指定することを含む。本方法２００では、既に文書画像データにある任意のビットマップ部分は扱わない。
【００４１】
本法２００は、ステップ２０６において、文書画像データ（例えば、文書画像１００に対応するデータ）において色を含むか又は色を含むオブジェクトに隣接する（例えば、オーバラップする、接する、又は近接する）オブジェクト（テキストオブジェクト及び／又はグラフィックスオブジェクト）を特定することを含む。一実施形態では、この特定を、図２に関して上述したような方法で、プリンタドライバ２０のカラーオブジェクト位置特定部９６によって実行する。
【００４２】
オブジェクトが色を有していない場合には、ステップ２０８に示すように、非カラーオブジェクトに対して黒抽出ステップを適用することにより、非カラーオブジェクトの全ての混合黒画素を真の黒の画素と置き換える。これらの真の黒の画素は、非カラーオブジェクトの黒画素を真の黒のカラープレーンからの真の黒インク（Ｋ）を用いてプリントすることを指定する。これらの非カラーオブジェクトに関連する３色プレーンの黒画素位置の値を、ヌル値すなわち白に設定する。一実施形態では、この黒抽出ステップを、図２に関連して上述したように、プリンタドライバ２０，２２の黒抽出部９２によって実行する。
【００４３】
しかしながら、オブジェクトが色を有するか又は色に隣接する場合には、ステップ２１０に示すように、文書画像データにおける特定されたカラーオブジェクト及び色に隣接するオブジェクトの全ての黒画素に対し、真の黒画素への黒抽出（ステップ２０８において説明したような）が行われないようにする。代りに、これらのカラーオブジェクト及び色に隣接するオブジェクトは、それらの混合黒画素としての指定を維持する。ビットマップデータストリームにおける混合黒インク画素は、シアン，マゼンタ，及びイエローを結合して混合黒をもたらすことによって達成される黒を表す。
【００４４】
一実施形態では、黒抽出機構のこの中断又は無効化を、プリンタドライバ２０の黒抽出切替え部９８によって実行する。
【００４５】
黒・カラーにじみを最小化するためにカラーオブジェクト及び色に隣接するオブジェクトにおける混合黒画素指定を維持するというこの特徴を、図５乃至図６に関連してより詳細に説明するように、黒・カラー相互作用部分における黒画素に対してのみではなく、それらカラーオブジェクト及び色に隣接するオブジェクト内の全ての黒画素位置に対して適用する。別の実施形態では、黒・カラー相互作用部分におけるインクにじみを最小化することに関連しない他の理由によりプリンタドライバ２０，２２が指示するような例外を考慮して、この混合黒画素指定を、特定されたオブジェクトの実質的に全ての黒画素（全ての黒画素ではなく）に適用する。
【００４６】
方法２００は、ステップ２１２において、真の黒画素（非カラーオブジェクトにおける）が真の黒インクとしてプリントされ、かつ、混合黒画素（カラーオブジェクト及び色に隣接するオブジェクト）が混合黒インク（シアン，マゼンタ，イエローを含む）の一部及び真の黒インク（Ｋ）の一部としてハーフトーンプリントされるようにプリントデータを生成することを含む。ハーフトーンプリントされる混合黒画素の場合には、真の黒インクは、むしろ混合黒インクのビヒクル配合物の特性を帯び、それによりカラーインクと黒インクとの間のにじみを軽減する。さらに、真の黒インクを混合黒インクと混合するという特徴は、２つの異なる種類の黒インクのビヒクル配合物を有効に平均化し、それにより、真の黒インクの特性が、それぞれの黒インクとカラーインクとの間のにじみを減少させるようにカラーインクの特性に十分に近くなる。
【００４７】
図４によってさらに示すように、一実施形態では、方法２００は、ステップ２１４において、生成されたプリントデータを用いて文書をプリントすることをさらに含む。一実施形態では、生成されたプリントデータは、ビットマップデータストリームである。他の実施形態では、生成されたプリントデータは、本技術分野において既知であるようにプリント可能データの他のフォーマットを含む。
【００４８】
図５は、文書画像１００におけるテキストオブジェクト１０２（例えば、図３におけるテキストオブジェクト１０２）を示す図である。図５に示すように、従来のように処理されたテキストオブジェクト１０２Ａを、プリンタドライバ２０及び方法２００等を用いた本発明の実施形態によって処理されたテキストオブジェクト１０２Ｂと比較する。図５に示すように、テキストオブジェクト１０２Ａは、黒抽出ステップを使用して従来通りに処理されるような色を含むテキストオブジェクトを表し、そこでは、混合黒画素が真の黒画素に置き換えられる。テキストオブジェクト１０２Ａは、真の黒画素（Ｋ）を含む要素１３０Ａと、様々なカラー画素（例えば、マゼンタ（Ｍ），シアン（Ｃ），及びイエロー（Ｙ））及び真の黒画素（Ｋ）を含む要素１３２Ａと、を含む。テキストオブジェクト１０２Ａに示すように、黒抽出を介する従来の処理では、カラー画素に直接隣接する黒画素（要素１３２Ａに示すような）でさえ真の黒画素のままであり、それにより黒・カラーにじみの要因となる。
【００４９】
これとは対照的に、テキストオブジェクト１０２Ｂは、色を含むものとして特定され、方法２００（図４参照）を適用することにより及び／又はラスタ機構９０及び／又は黒・カラー相互作用部分最適化部９４（図２参照）を有するプリンタドライバ２０を使用することにより処理されたテキストオブジェクトを表す。図５に示すように、テキストオブジェクト１０２Ｂにおける全ての黒画素は、黒抽出ステップでは行われるように、真の黒画素（Ｋ）に変換されるのではなく、ビットマップフォーマット（例えば、ＲＧＢ２４ビットフォーマット）への初期のラスタライズ後に、混合黒画素（ＣＭＹ）としてのそれらの指定を維持する。図５に示すように、これらの混合黒画素は、さらに、真の黒画素（Ｋ）と、シアン（Ｃ），マゼンタ（Ｍ），及びイエロー（Ｙ）の混合黒画素群と、の両方の組合せとしてハーフトーンプリントするために指定される（又は変換される）。図５に示すように、テキストオブジェクト１０２Ｂの要素１３２Ｂは、その時にハーフトーン画素（ＣＭＹＫ）として設定される黒画素に対するカラー画素（Ｍ及びＹ）間のにじみを最小化するために、カラー画素Ｍ及びＹに直接接するハーフトーン黒画素（ＣＭＹＫ）を含む。
【００５０】
さらに、オブジェクトの黒・カラー相互作用部分（要素１３２Ｂに示す）に近接する場所から離れて位置する１３０Ｂの画素もまた、迅速な処理のために、混合黒画素（ＣＭＹＫ）としてプリントするというそれらの指示を維持することにより、全ての可能性のある黒・カラー相互作用部分を特定する従来の画素毎の分析を行わない。特に、この方法は、カラー画素に隣接する全ての黒画素を探索するのではなく、オブジェクト内の任意の色を見つけるためにプリンタドライバに頼り、そのため混合黒画素となるそのオブジェクト内の全ての（又は実質的に全ての）黒画素の全ての指定をトリガすることができる。オブジェクト内において均一に局地的な黒画素指定に焦点が合わせられるこの簡略化されたオブジェクト指向指定の特徴により、プリンタドライバの複雑性及びコストが低減する。
【００５１】
図６は、色を含むグラフィックスオブジェクト１１４（図３の要素１１４を参照）にオーバラップする非カラーテキストオブジェクト１１６（図３の要素１１６を参照）の組合せ１１２Ａを示す図である。グラフィックスオブジェクト（ＧＯ）１１４Ａは、一列に結合されるマゼンタ，イエロー，及びシアン（Ｍ，Ｙ，Ｃ）のカラー画素を含むカラー要素１４０Ａを含む。要素１４０Ａは、任意の順序で配置されるカラー画素を有することができる。図６に示すように、このカラー要素１４０Ａは、グラフィックスオブジェクト１１４Ａに対するテキストオブジェクト１１６Ａのオーバラップ（下又は上部の上）により、テキストオブジェクト１１６Ａの黒要素１４２Ａに隣接する。このオーバラップは、また、図３においてライン１２０によって表す。
【００５２】
図６は、従来のように黒抽出技法を介して処理されたテキストオブジェクト１１６Ａと、本発明の実施形態によるプリンタドライバ２０及び／又は方法２００によって処理されたテキストオブジェクト１１６Ｂと、の間の比較を表す。図６に示すように、テキストオブジェクト１１６Ａは、黒抽出ステップを使用して従来のように処理されるような色に隣接するテキストオブジェクトを表し、そこでは、混合黒画素が真の黒画素に置き換えられる。
【００５３】
図６に示すように、従来のように処理されたテキストオブジェクト（ＴＯ）１１６Ａは、真の黒画素を含む要素１４２Ａと、真の黒画素（Ｋ）を含む要素１４４Ａと、を有する。従来のプリンタドライバは、オブジェクトの初期ラスタライズ中に指定される混合黒画素（ＣＭＹ又はＣＭＹＫ）をプリントすることに優先するものとして、黒テキストのプリント品質を向上させるために、黒抽出ステップ（黒抽出部９２による等）を介してこれらの黒画素を真の黒画素（Ｋ）としてプリントする。図６に示すように、黒抽出を介する従来の処理により、別のオブジェクト１１４Ａのカラー画素（要素１４２Ａにおける）に接するテキストオブジェクト１１６Ａの要素１４２Ａにおける黒画素でさえ、真の黒画素（Ｋ）のままであり、そのため黒・カラーにじみの要因となる。
【００５４】
これとは対照的に、テキストオブジェクト１１６Ｂ及びグラフィックスオブジェクト１１４Ｂは、方法２００（図４参照）を適用することにより及び／又はラスタ機構９０及び／又は黒・カラー相互作用部分最適化部９４（図２参照）を備えたプリンタドライバ２０を使用することにより、色を有し、かつ、色に隣接するものとして特定されたオブジェクトを表す。従って、要素１４０Ｂ、１４２Ｂ及び１４４Ｂによって表すように、あるとすればグラフィックオブジェクト１１４Ｂの全ての黒画素を、混合黒画素のままで、従来の処理において行われるように黒抽出を介して真の黒画素に変換されることがないように指定する。一実施形態では、この混合黒画素指定を維持することは、真の黒画素（Ｋ）と、シアン（Ｃ）、マゼンタ（Ｍ）及びイエロー（Ｙ）の混合黒画素群と、の組合せとしてこれらの画素をハーフトーンプリントすることに対応する。
【００５５】
さらに、要素１４２Ｂ及び１４４Ｂの両方によって表されるテキストオブジェクト１１６Ｂの全ての黒画素は、従来の黒抽出ステップを中断して、混合黒画素としての指定を維持する。一実施形態では、この混合黒画素指定は、真の黒画素（Ｋ）と、シアン（Ｃ），マゼンタ（Ｍ），及びイエロー（Ｙ）の混合黒画素群と、の両方の組合せとしてこれらの画素をハーフトーンプリントすることに対応する。この混合黒画素指定を、これらのカラーオブジェクト及び色に隣接するオブジェクト内において包括的に（すなわち、全ての画素に対して）適用することにより、迅速な処理によって、テキストオブジェクト１１６Ｂにおける黒画素（ＣＭＹＫ）に対するグラフィックスオブジェクト１１４Ｂにおけるカラー画素（Ｍ及びＹ）間のにじみを効率的に最小化することができる。
【００５６】
さらに、テキストオブジェクト１１６Ｂの要素１１４Ｂは、グラフィックスオブジェクト（ＧＯ）１１２Ｂの要素１４０Ｂのカラー画素に対して遠くに位置する（かつ、他の理由でにじみをもたらすことが予期されない）場合であっても、混合黒画素として指定される混合黒画素（ＣＭＹＫ）を含む。このオブジェクト全体の指定は、要素１４４Ｂの黒画素が、図５の要素１３０Ｂに関連して説明した理由により要素１４２Ｂのカラー画素又は黒・カラー相互作用部分に直接隣接しない場合であっても、迅速な処理のために行われる。
【００５７】
本発明の実施形態は、黒・カラー相互作用部分におけるインクにじみを最小化しながら文書画像データを迅速に処理することに関する。１つ又は複数のオブジェクトが、そのオブジェクトにおける（又はそれに隣接する）任意の場所に色を有するものとして特定される場合には、本発明の実施形態では、それらのオブジェクトの各々の画素毎の分析を行わない。代りに、特定されたカラーオブジェクトの黒画素の全てを、混合黒画素として維持されるように指定し、真の黒画素によって置き換えない。特定されたカラーオブジェクトのこれら混合黒画素のうちのいくつかは、黒・カラー相互作用部分にあり、それにより、混合黒画素を維持することにより、その相互作用部分における黒・カラーにじみが最小化される。特定されたオブジェクトの他の混合黒画素は、黒・カラー相互作用部分から離れている（黒・カラーにじみに影響しない）が、いずれにせよ混合黒画素として維持されることにより、文書画像データの処理が迅速に行われる。非カラーオブジェクト内にある文書画像データにおける黒画素は、通常、純粋な黒すなわち真の黒（Ｋ）インクとしてプリントされるように非カラーオブジェクトのこれらの黒画素を指定する黒抽出ステップを実行する従来のプリンタドライバプロトコルに従ってプリントすることが依然として可能である。この特徴により、いかなる色も有していない文書の領域において最高品質の黒インクを使用し続けることができる。
【００５８】
以上を要約すると、次の通りである。すなわち、本発明は、プリントするために文書画像データを処理する方法に向けられている。本方法は、文書画像データにおける全てのオブジェクト（１０２，１０４，１０６，１０８，１１０，１１４，１１６）をラスタライズしてビットマップフォーマットにするステップであって、このオブジェクトの黒部分（１３０，１３４，１４２，１４４）を混合黒画素に変換することを含むステップ２０４を有する。文書画像データにおける、色を含むか又は色に隣接するカラーオブジェクトが特定される（ステップ２０６参照）。この特定されたカラーオブジェクトにおける全ての混合黒画素（１３０Ａ）が、真の黒画素に代えることなく混合黒画素指定（１３０Ｂ）として維持される（ステップ２１０参照）。混合黒画素指定が混合黒インクの一部及び真の黒インクの一部としてプリント媒体上にハーフトーンプリントされるようなプリントデータが生成される（ステップ２１２参照）。
【００５９】
本発明の実施形態を１パスプリントで実施することができ、画素毎に黒・カラー相互作用部分を特定するために全ての画素を分析しないため、本発明の実施形態により文書画像データの処理が高速になる。さらに、これらの実施形態は、特定されたオブジェクトの全ての黒画素を同じ方法で扱うことにより黒画素指定を簡略化する。これらの特徴により、プリンタドライバに関連する複雑性，処理時間，及びコストが低減する。本明細書において特定の実施形態について例示し説明したが、当業者には、本発明の範囲から逸脱することなく、示し説明した特定の実施形態の代りに、種々の代替的及び／又は等価な実施態様を使用してもよい、ということが理解されよう。本出願は、本明細書で論考した特定の実施形態の任意の適合又は変形を包含するように意図されている。従って、本発明は、特許請求の範囲及びその等価物によってのみ限定されることが意図されている。
【図面の簡単な説明】
【００６０】
【図１】本発明の一実施形態によるプリンタのブロック図である。
【図２】本発明の一実施形態によるプリンタドライバのブロック図である。
【図３】本発明の一実施形態による文書画像データをグラフィカルに表す図である。
【図４】本発明の一実施形態による文書画像データを処理する方法のフローチャートである。
【図５】本発明の一実施形態による文書画像データを処理する方法を適用する場合及び適用しない場合の文書画像データのグラフィック表現を示す図である。
【図６】本発明の一実施形態による文書画像データを処理する方法を適用する場合及び適用しない場合の文書画像データのグラフィック表現を示す図である。
【符号の説明】
【００６１】
１０  プリンタ
１２  プリントヘッドアセンブリ
１４  インク供給アセンブリ
１６  電子コントローラ
１８  コンピュータ
２０，２２  プリンタドライバ
５４  インクバンク（カラーインク貯蔵器）
９０  ラスタ機構
９２  黒抽出部
９４  カラー相互作用部分最適化部
９６  カラーオブジェクト位置特定部
９８  黒抽出切替え部
１００  文書画像
１０１  プリント媒体
１０２，１０６，１１６  テキストオブジェクト
１０４，１０８，１１４  グラフィックスオブジェクト
１１０  ビットマップ領域
１３０，１３４，１４２，１４４  黒要素
１３０Ａ，１３Ｂ  要素
【図１】
2006129500.tif 000003
【図２】
2006129500.tif 000004
【図３】
2006129500.tif 000005
【図４】
2006129500.tif 000006
【図５】
2006129500.tif 000007
【図６】
2006129500.tif 000008